(57)【要約】【課題】連結鋼板又は補強鋼板と耐候性ゴムとの接着性能を向上させ、両者の界面に生じる応力及び外的環境に十分に耐えうる接着性能を有した免震構造体を提供する。【解決手段】免震構造体１１は、上側連結鋼板１２と、下側連結鋼板１３と、両者の間に交互に配置されたゴム層１４及び内部鋼板１５と、これらの側面を覆っている耐候性ゴム１６と、連結鋼板１２，１３と耐候性ゴム１６との間に介在された、双方に接着性の良い良接着性ゴム１７とを備えている。連結鋼板１２，１３の凹所１２ａ，１３ａに良接着性ゴム１７が回り込んでいる。【選択図】図１
2005188546.tif 000002
【特許請求の範囲】
【請求項１】
上側鋼板と下側鋼板との間にゴム層と内部鋼板とが交互に配置された積層体と、この積層体の側面を被覆する耐候性ゴムとを有する免震構造体において、該上側及び下側の鋼板と該耐候性ゴムとの間に、双方への接着性に優れた中間材が介在されていることを特徴とする免震構造体。
【請求項２】
請求項１において、該中間材は良接着性ゴムであることを特徴とする免震構造体。
【請求項３】
請求項２において、該良接着性ゴムは該上側及び下側鋼板の側面に被着されていることを特徴とする免震構造体。
【請求項４】
請求項３において、該良接着性ゴムは、さらに、上側鋼板の上面縁部と下側鋼板の下面縁部との少なくとも一方に被着されていることを特徴とする免震構造体。
【請求項５】
請求項４において、上側鋼板の上面縁部と下側鋼板の下面縁部との少なくとも一方は凹所となっており、該良接着性ゴムは該凹所に配置されていることを特徴とする免震構造体。
【請求項６】
請求項５において、該凹所内の良接着性ゴムが耐候性ゴムで覆われていることを特徴とする免震構造体。
【請求項７】
請求項２ないし６のいずれか１項において、該良接着性ゴムは、さらに上側鋼板の下面縁部と下側鋼板の上面縁部との少なくとも一方に被着されていることを特徴とする免震構造体。
【請求項８】
請求項２ないし７のいずれか１項において、該良接着性ゴムは、天然ゴム、スチレンブタジエンゴム及びブタジエンゴムよりなる群から選ばれる少なくとも１種であることを特徴とする免震構造体。
【発明の詳細な説明】
【技術分野】
【０００１】
本発明は複数個の硬質板と粘弾性的性質を有する軟質板とを交互に貼り合わせた免震構造体に関するものであり、特に極めて耐候性に優れた免震構造体に関するものである。
【背景技術】
【０００２】
鋼板等の硬質板とゴム等の粘弾性的性質を有する軟質板とを積層した構造体が、防振性、吸振性等を要求される支承部材として広く用いられている。
【０００３】
このような支承部材に用いられる免震構造体は、建物と土台との間に挿入され、建物全体を支える働きをしているため、一旦設置された後は取替えが困難であり、また、たとえ技術的には取替え可能であっても、コスト的にかなり高いものとなる。このため、免震構造体にはコンクリート構造物と同程度の５０〜６０年の耐久寿命が要求されている。
【０００４】
ところで、免震構造体は、使用中、常に外気にさらされているため、空気、湿度、オゾン、紫外線、原子力用においては放射線、海辺における場合では海風、により長期劣化を受ける。また、建物を支えているため、常に圧縮荷重を受けており、平常時でもゴム層の表面部にはかなりの引張応力が付与されている。その上、大地震発生時においては、ゴム層には局部的に１００〜２００％にもおよぶ引張歪を受ける。このような引張応力や引張歪により劣化はより一層進行する。
【０００５】
このようなことから、長期耐久寿命を要求される免震構造体において、耐酸化劣化性、耐オゾン性、耐熱老化性などの耐候性を高めるために、外周を耐候性ゴムで被覆することが特公平７−２９３９４号公報に記載されている。
【０００６】
一般に、免震構造体の最上部及び最下部に鋼板（連結鋼板又は補強鋼板）が配置されている。滑り支承式免震構造体にあっては、この補強鋼板の上面にフッ素樹脂、例えばポリテトラフルオロエチレン（ＰＴＦＥ）等の高摺動性樹脂板が固着されている。
【０００７】
第４図は、最上部及び最下部に連結鋼板を配置し、側周面を耐候性ゴムで被覆した免震構造体の従来例を示す縦断面図である。この免震構造体１は、最上部及び最下部に連結鋼板２，３が配置され、両者の間にゴム層４及び内部鋼板５が交互に配置され、側周面が耐候性ゴム６で被覆されたものである。
【特許文献１】特公平７−２９３９４号公報
【発明の開示】
【発明が解決しようとする課題】
【０００８】
免震構造体には、剪断力、圧縮力、回転力等の外力が負荷されるが、連結鋼板２，３と耐候性ゴム６との界面にはこれらの外力による応力が集中する。
【０００９】
また、この免震構造体の上下両面にライニングが施されていないときには、該界面が外気に直に晒されることになり、塩水や湿熱の影響を強く受け易い。
【００１０】
本発明は、連結鋼板又は補強鋼板と耐候性ゴムとの接着性能を向上させ、両者の界面に発生する応力及び外的環境に十分に耐えうる接着性能を有した免震構造体を提供することを目的とする。
【課題を解決するための手段】
【００１１】
本発明（請求項１）の免震構造体は、上側鋼板と下側鋼板との間にゴム層と内部鋼板とが交互に配置された積層体と、この積層体の側面を被覆する耐候性ゴムとを有する免震構造体において、該上側及び下側の鋼板と該耐候性ゴムとの間に、双方への接着性に優れた中間材が介在されていることを特徴とするものである。
【００１２】
請求項２の免震構造体は、請求項１において、該中間材は良接着性ゴムであることを特徴とするものである。
【００１３】
請求項３の免震構造体は、請求項２において、該良接着性ゴムは該上側及び下側鋼板の側面に被着されていることを特徴とするものである。
【００１４】
請求項４の免震構造体は、請求項３において、該良接着性ゴムは、さらに、上側鋼板の上面縁部と下側鋼板の下面縁部との少なくとも一方に被着されていることを特徴とするものである。
【００１５】
請求項５の免震構造体は、請求項４において、上側鋼板の上面縁部と下側鋼板の下面縁部との少なくとも一方は凹所となっており、該良接着性ゴムは該凹所に配置されていることを特徴とするものである。
【００１６】
請求項６の免震構造体は、請求項５において、該凹所内の良接着性ゴムが耐候性ゴムで覆われていることを特徴とするものである。
【００１７】
請求項７の免震構造体は、請求項２ないし６のいずれか１項において、該良接着性ゴムは、さらに上側鋼板の下面縁部と下側鋼板の上面縁部との少なくとも一方に被着されていることを特徴とするものである。
【００１８】
請求項８の免震構造体は、請求項２ないし７のいずれか１項において、該良接着性ゴムは、天然ゴム、スチレンブタジエンゴム及びブタジエンゴムよりなる群から選ばれる少なくとも１種であることを特徴とするものである。
【発明の効果】
【００１９】
本発明の免震構造体では、鋼板（連結鋼板又は補強鋼板）と耐候性ゴムとの間に、双方への接着性に優れた中間材が介在されているため、連結鋼板又は補強鋼板と耐候性ゴムとの接着が強固であり、耐久性に優れる。
【００２０】
この中間材としては、良接着性のゴム特に天然ゴム、スチレンブタジエンゴム又はブタジエンゴムが好適である。
【００２１】
免震構造体の製造に際しては、この良接着性ゴムを連結鋼板又は補強鋼板の側面に予め被着させておくことが好ましい。
【００２２】
この良接着性ゴムを上側鋼板の上面縁部や下側鋼板の下面縁部に被着させておくことにより、鋼板と耐候性ゴムとの界面の耐環境性（例えば、耐塩水性、耐湿熱性）が向上する。
【００２３】
この場合、上側鋼板の上面縁部もしくは下側鋼板の下面縁部に凹所を設け、良接着性ゴムを該凹所に配置した構成とすることにより、該良接着性ゴムが免震構造体の上下面から非突出となり、好適である。特に、凹所内の良接着性ゴムが耐候性ゴムで覆われている構成とすることにより、この良接着性ゴム自体の耐環境特性も向上する。
【００２４】
この良接着性ゴムがさらに上側鋼板の下面縁部や下側鋼板の上面縁部に被着されている構成とすることにより、良接着性ゴムと連結鋼板との結合が強固なものとなる。
【発明を実施するための最良の形態】
【００２５】
以下、図面を参照して本発明の好ましい形態について説明する。
【００２６】
第１図（ａ）は本発明の一実施の形態に係る免震構造体の縦断面図（ただし、右半分のみを示している。左半分は右半分と対称に現われるため、省略する。）、第１図（ｂ）は同（ａ）のＢ部拡大図である。
【００２７】
この免震構造体１１は、上側連結鋼板１２と、下側連結鋼板１３と、両者の間に交互に配置されたゴム層１４及び内部鋼板１５と、これらの側面を覆っている耐候性ゴム１６と、連結鋼板１２，１３と耐候性ゴム１６との間に介在された、双方に接着性の良い中間材としての良接着性ゴムとを備えてなる。連結鋼板１２，１３及び内部鋼板１５はゴム層１４に対し好ましくは加硫接着されている。
【００２８】
上側連結鋼板１２の上面縁部と下側連結鋼板１３の下面縁部とには、それぞれ連結鋼板１２の上面及び連結鋼板１３の下面よりも若干（例えば１〜５ｍｍ程度）凹陥した凹所１２ａ，１３ａが形成されており、良接着性ゴム１７はこれらの凹所１２ａ，１３ａ内にまで延在し、且つ連結鋼板１２の上面及び連結鋼板１３の下面と略面一となるように配置されている。上側連結鋼板１２の上角縁及び下側連結鋼板１３の下角縁は斜めに面取りされた形状となっている。
【００２９】
また、この実施の形態では、上側連結鋼板１２の下面縁部及び下側連結鋼板１３の上面縁部も耐候性ゴム１６によって被覆されている。
【００３０】
この免震構造体の平面視形状は、円形、楕円形、四角形、五角形以上の多角形など任意である。
【００３１】
ゴム層１４を構成するゴムとしては、天然ゴム、クロロプレンゴム、ブタジエンゴム、スチレンブタジエンゴム、エチレンプロピレンゴム等が例示されるが、これに限定されない。耐候性ゴム１６としてはブチルゴム、ポリウレタン、エチレンプロピレンゴム、エチレン酢酸ビニルゴム等が例示されるが、これに限定されない。
【００３２】
中間材としての良接着性ゴム１７としては、天然ゴム、スチレンブタジエンゴム、及びブタジエンゴムの少なくとも１種が好適であるが、これに限定されない。良接着性ゴム１７の厚みは０．５〜１０ｍｍ程度特に１〜５ｍｍ程度が好適であるが、これに限定されない。
【００３３】
このように構成された免震構造体にあっては、連結鋼板１２，１３と耐候性ゴム１６との間に良接着性ゴム１７が介在しているので、連結鋼板１２，１３と耐候性ゴム１６との接着が強固であり、耐久性に優れる。
【００３４】
特に、この実施の形態にあっては、良接着性ゴム１７が上側連結鋼板１２の上面縁部に回り込み、また下側連結鋼板１３の下面縁部に回り込んでいるので、連結鋼板１２，１３と耐候性ゴム１６との界面の耐環境性が良好である。
【００３５】
さらに、この実施の形態にあっては、良接着性ゴム１７が上側連結鋼板１２の下面縁部及び下側連結鋼板１３の上面縁部にも回り込んでいるので、良接着性ゴム１７と連結鋼板１２，１３との結合が強固である。
【００３６】
第２図は本発明の別の実施の形態に係る免震構造体１１Ａの一部の断面図であり、第１図（ｂ）と同様箇所の断面を示している。
【００３７】
この実施の形態にあっては、連結鋼板１２，１３（連結鋼板１３については図示略）の凹所１２ａ，１３ａに良接着性ゴム１７が回り込んでいる点は第１図の実施の形態と同じであるが、この凹所１２ａ，１３ａ内における良接着性ゴム１７の厚みが凹所１２ａ，１３ａの深さよりも小さなものとなっている。そして、この凹所１２ａ，１３ａの良接着性ゴム１７が耐候性ゴム１６によって覆われている。
【００３８】
この免震構造体１１Ａによっても、上記免震構造体１１と同様の効果が得られる。また、この免震構造体１１Ａにあっては、連結鋼板１２，１３の外面縁部も耐候性ゴム１６によって覆われており、連結鋼板１２，１３の側面と耐候性ゴム１６との耐環境性が極めて良好である。また、この連結鋼板１２の上面縁部及び連結鋼板１３の下面縁部においても、耐候性ゴム１６と連結鋼板１２，１３との間に良接着性ゴム１７が介在しており、両者の接着が極めて強固である。
【００３９】
第３図は滑り支承型免震構造体に本発明を適用した実施の形態の一部断面図であり、第１図（ａ）と同様箇所の断面を示している。
【００４０】
この実施の形態に係る免震構造体２１にあっては、上部に補強鋼板２２が配置され、下部に連結鋼板２３が配置され、両者の間にゴム層２４と内部鋼板２５とが交互に積層配置されている。補強鋼板２２、各内部鋼板２５及び連結鋼板２３はゴム層２４に対し好ましくは加硫接着されている。この補強鋼板２２から連結鋼板２３に至る積層体の側面が耐候性ゴム２６で覆われている。
【００４１】
補強鋼板２２の上面にはフッ素樹脂等よりなる高摺動性板（この実施の形態ではＰＴＦＥ板２８）が固着されている。
【００４２】
この補強鋼板２２及び連結鋼板２３の側面と耐候性ゴム２６との間に、中間材として良接着性ゴム２７が介在されている。この実施の形態では、良接着性ゴム２７は補強鋼板２２及び連結鋼板２３の上面縁部及び下面縁部にまで回り込んでいる。
【００４３】
また、第２図と同様に連結鋼板２３上面縁部にかけて耐候性ゴム２６が被着されている。連結鋼板２３の下面にはライニングゴム２９が被着されている。
【００４４】
このように構成された免震構造体２１においても、耐候性ゴム２６と補強鋼板２２及び連結鋼板２３との接着が良好であり、免震構造体２１は耐久性に優れたものとなっている。また、良接着性ゴム２７は補強鋼板２２及び連結鋼板２３の上面縁部及び下面縁部にも被着しているため、良接着性ゴム２７の各鋼板２２，２３への被着性も良好である。
【００４５】
上記実施の形態はいずれも本発明の一例であり、本発明は図示以外の形態をもとりうる。
【図面の簡単な説明】
【００４６】
【図１】実施の形態に係る免震構造体の断面図である。
【図２】別の実施の形態に係る免震構造体の断面図である。
【図３】さらに別の実施の形態に係る免震構造体の断面図である。
【図４】従来例に係る免震構造体の断面図である。
【符号の説明】
【００４７】
１，１１，１１Ａ，２１  免震構造体
２，３，１２，１３  連結鋼板
１２ａ，１３ａ  凹所
４，１４，２４  ゴム層
５，１５，２５  内部鋼板
６，１６，２６  耐候性ゴム
１７，２７  良接着性ゴム
２２  補強鋼板
【図１】
2005188546.tif 000003
【図２】
2005188546.tif 000004
【図３】
2005188546.tif 000005
【図４】
2005188546.tif 000006